(57)【要約】【課題】本発明は、記録再生装置及び記録再生装置の制御方法に関し、例えば光ディスク、メモリにオーディオデータを記録再生する記録再生装置に適用して、各記録媒体用の集積回路を用いた記録再生装置において、一段と構成を簡略化することができるようにする。【解決手段】本発明は、各記録媒体用集積回路７、１７を用いて各記録媒体２、３からオーディオデータを再生する場合に、一方の集積回路１７に設けられたディジタルシグナルプロセッサ１６を用いて、他方の記録媒体２から再生したオーディオデータをデータ伸張する。【選択図】        図１
2008257764.tif 000002
【特許請求の範囲】
【請求項１】
第１の記録媒体からオーディオデータを再生する第１の集積回路と、
第２の記録媒体への記録用にオーディオデータをデータ圧縮した第２の符号化データを前記第２の記録媒体から再生する第２の集積回路と、
前記第１及び第２の集積回路を制御するメインコントローラとを備え、
前記第２の集積回路は、
前記第２の符号化データを前記第２の記録媒体から再生する再生部と、
前記第２の集積回路の再生部の動作を制御するコントローラとを備え、
前記第１の集積回路は、
前記第１の記録媒体への記録用に前記オーディオデータをデータ圧縮した第１の符号化データを前記第１の記録媒体から再生する再生部と、
前記第１の符号化データをデータ伸張して前記オーディオデータを生成するディジタルシグナルプロセッサと、
前記第１の集積回路の前記再生部、前記ディジタルシグナルプロセッサを制御するコントローラとを備え、
前記第１の記録媒体からオーディオデータを再生する場合には、
前記第１の集積回路により前記第１の記録媒体からオーディオデータを再生し、
前記第２の記録媒体からオーディオデータを再生する場合には、
前記ディジタルシグナルプロセッサの動作を切り換え、
前記第２の集積回路により前記第２の記録媒体から前記第２の符号化データを再生し、  前記第２の符号化データを前記ディジタルシグナルプロセッサでデータ伸張して前記オーディオデータを再生する
ことを特徴とする記録再生装置。
【請求項２】
前記第２の集積回路は、
前記第２の符号化データを前記第２の記録媒体に記録する記録部を有し、
前記第１の記録媒体から再生した前記オーディオデータを前記第２の記録媒体に記録する場合には、
前記ディジタルシグナルプロセッサで前記第１の符号化データをデータ伸張、データ圧縮して前記第２の符号化データを生成すると共に、生成した前記第２の符号化データを前記記録部で前記第２の記録媒体に記録する
ことを特徴とする請求項１に記載の記録再生装置。
【請求項３】
少なくとも前記第１の集積回路のコントローラと前記第２の集積回路のコントローラとの間で、コントロールバスの所定ビットを接続する双方向のバススイッチと、
少なくとも前記メインコントローラのコマンドを前記第１の集積回路のコントローラに送出する片方向のバススイッチとを有し、
前記第２の記録媒体にオーディオデータを記録する場合には、
前記双方向のバススイッチを介した前記第１の集積回路のコントローラと前記第２の集積回路のコントローラとのコマンドの送受により、前記第１の集積回路で再生した前記オーディオデータを前記第１の集積回路でデータ圧縮処理して前記第２の符号化データを生成し、生成した前記第２の符号化データを前記第２の集積回路で前記第２の記録媒体に記録する
ことを特徴とする請求項２に記載の記録再生装置。
【請求項４】
第１の記録媒体からオーディオデータを再生する第１の集積回路と、
第２の記録媒体への記録用にオーディオデータをデータ圧縮した第２の符号化データを前記第２の記録媒体から再生する第２の集積回路と、
前記第１及び第２の集積回路を制御するメインコントローラとを備えた記録再生装置の制御方法であって、
前記第２の集積回路は、
前記第２の符号化データを前記第２の記録媒体から再生する再生部と、
前記第２の集積回路の再生部の動作を制御するコントローラとを備え、
前記第１の集積回路は、
前記第１の記録媒体への記録用に前記オーディオデータをデータ圧縮した第１の符号化データを前記第１の記録媒体から再生する再生部と、
前記第１の符号化データをデータ伸張して前記オーディオデータを生成するディジタルシグナルプロセッサと、
前記第１の集積回路の前記再生部、前記ディジタルシグナルプロセッサを制御するコントローラとを備え、
前記制御方法は、
前記第１の記録媒体からオーディオデータを再生する場合には、
前記第１の集積回路により前記第１の記録媒体からオーディオデータを再生し、
前記第２の記録媒体からオーディオデータを再生する場合には、
前記ディジタルシグナルプロセッサの動作を切り換え、
前記第２の集積回路により前記第２の記録媒体から前記第２の符号化データを再生し、  前記第２の符号化データを前記ディジタルシグナルプロセッサでデータ伸張して前記オーディオデータを再生する
ことを特徴とする記録再生装置の制御方法。
【発明の詳細な説明】
【技術分野】
【０００１】
本発明は、記録再生装置及び記録再生装置の制御方法に関し、例えば光ディスク、メモリからオーディオデータを再生する再生装置に適用することができる。本発明は、各記録媒体用集積回路を用いて各記録媒体からオーディオデータを再生する場合に、一方の集積回路に設けられたディジタルシグナルプロセッサを用いて、他方の記録媒体から再生したオーディオデータをデータ伸張することにより、各記録媒体用の集積回路を用いた記録再生装置において、一段と構成を簡略化することができるようにする。
【背景技術】
【０００２】
従来、光ディスクからオーディオデータを再生する光ディスク装置では、光ディスク装置用の集積回路が使用されている。ここでこの光ディスク装置用の集積回路は、スピンドルモータ、光ピックアップ等を駆動するサーボ回路、オーディオデータを処理する信号処理回路等を一体に集積回路化したものであり、上位のコントローラの指示に従って内蔵のコントローラにより各部の動作を制御し、光ディスクからオーディオデータを再生する。またこの光ディスク装置用の集積回路は、ディジタルシグナルプロセッサを用いてオーディオデータをデータ伸張し、例えば特開２０００−３１４５２１号公報の手法を適用してデータ伸長処理のフォーマットを切り換える。
【０００３】
この光ディスク装置用の集積回路を使用した光ディスク装置は、この集積回路の他に、この集積回路との間でオーディオデータを送受する各種処理回路、ユーザーインターフェースを構成して各部の動作を制御するメインコントローラ等が設けられる。
【０００４】
また近年、ＵＳＢ（Universal Serial Bus）メモリにオーディオデータを記録再生するオーディオ装置が提供されており、このオーディオ装置でも、光ディスク装置と同様に、ＵＳＢメモリのアクセス制御回路、オーディオデータの信号処理回路等を一体化したＵＳＢメモリ用の集積回路が使用されている。このＵＳＢメモリ用の集積回路は、光ディスク装置用の集積回路と同様に、内蔵のコントローラにより各部の動作を制御し、ＵＳＢメモリにオーディオデータを記録再生する。また各種フォーマットに対応可能にディジタルシグナルプロセッサによりオーディオデータをデータ圧縮伸張し、このディジタルシグナルプロセッサのプログラムの切り換えにより各種フォーマットに対応する。従ってこのＵＳＢメモリ用の集積回路を用いたオーディオ装置も、光ディスク装置と同様に、この集積回路の他に、この集積回路との間でオーディオデータを送受する各種処理回路、ユーザーインターフェースを構成して各部の動作を制御するメインコントローラ等が設けられる。
【０００５】
また近年、これら光ディスク装置用の集積回路、ＵＳＢメモリ用の集積回路を用いて、光ディスク及びＵＳＢメモリに種々のフォーマットでオーディオデータを記録再生する記録再生装置が提供されている。
【０００６】
ところでこのように各記録媒体用の集積回路を用いた記録再生装置において、一段と構成を簡略化することができれば、便利であると考えられる。
【特許文献１】特開２０００−３１４５２１号公報
【発明の開示】
【発明が解決しようとする課題】
【０００７】
本発明は以上の点を考慮してなされたもので、各記録媒体用の集積回路を用いた記録再生装置において、一段と構成を簡略化することができる記録再生装置、記録再生装置の制御方法を提案しようとするものである。
【課題を解決するための手段】
【０００８】
上記の課題を解決するため請求項１の発明は、記録再生装置に適用して、第１の記録媒体からオーディオデータを再生する第１の集積回路と、第２の記録媒体への記録用にオーディオデータをデータ圧縮した第２の符号化データを前記第２の記録媒体から再生する第２の集積回路と、前記第１及び第２の集積回路を制御するメインコントローラとを備えるようにする。また前記第２の集積回路は、前記第２の符号化データを前記第２の記録媒体から再生する再生部と、前記第２の集積回路の再生部の動作を制御するコントローラとを備え、前記第１の集積回路は、前記第１の記録媒体への記録用に前記オーディオデータをデータ圧縮した第１の符号化データを前記第１の記録媒体から再生する再生部と、前記第１の符号化データをデータ伸張して前記オーディオデータを生成するディジタルシグナルプロセッサと、前記第１の集積回路の前記再生部、前記ディジタルシグナルプロセッサを制御するコントローラとを備えるようにする。また前記第１の記録媒体からオーディオデータを再生する場合には、前記第１の集積回路により前記第１の記録媒体からオーディオデータを再生し、前記第２の記録媒体からオーディオデータを再生する場合には、前記ディジタルシグナルプロセッサの動作を切り換え、前記第２の集積回路により前記第２の記録媒体から前記第２の符号化データを再生し、前記第２の符号化データを前記ディジタルシグナルプロセッサでデータ伸張して前記オーディオデータを再生する。
【０００９】
また請求項４の発明は、第１の記録媒体からオーディオデータを再生する第１の集積回路と、第２の記録媒体への記録用にオーディオデータをデータ圧縮した第２の符号化データを前記第２の記録媒体から再生する第２の集積回路と、前記第１及び第２の集積回路を制御するメインコントローラとを備えた記録再生装置の制御方法に適用して、前記第２の集積回路は、前記第２の符号化データを前記第２の記録媒体から再生する再生部と、前記第２の集積回路の再生部の動作を制御するコントローラとを備え、前記第１の集積回路は、前記第１の記録媒体への記録用に前記オーディオデータをデータ圧縮した第１の符号化データを前記第１の記録媒体から再生する再生部と、前記第１の符号化データをデータ伸張して前記オーディオデータを生成するディジタルシグナルプロセッサと、前記第１の集積回路の前記再生部、前記ディジタルシグナルプロセッサを制御するコントローラとを備え、前記制御方法は、前記第１の記録媒体からオーディオデータを再生する場合には、前記第１の集積回路により前記第１の記録媒体からオーディオデータを再生し、前記第２の記録媒体からオーディオデータを再生する場合には、前記ディジタルシグナルプロセッサの動作を切り換え、前記第２の集積回路により前記第２の記録媒体から前記第２の符号化データを再生し、前記第２の符号化データを前記ディジタルシグナルプロセッサでデータ伸張して前記オーディオデータを再生する。
【００１０】
請求項１又は請求項４の構成によれば、第１の記録媒体から再生したオーディオデータをデータ伸張する第１の集積回路の構成を使用して、第２の記録媒体から再生したオーディオデータをデータ伸張することから、第２の集積回路に別途、専用のデータ伸張に係るディジタルシグナルプロセッサを設けることなく、第２の記録媒体からオーディオデータを再生することができ、全体構成を簡略化することができる。
【発明の効果】
【００１１】
本発明によれば、各記録媒体用の集積回路を用いた記録再生装置において、一段と構成を簡略化することができる。
【発明を実施するための最良の形態】
【００１２】
以下、適宜図面を参照しながら本発明の実施例を詳述する。
【実施例１】
【００１３】
（１）実施例の構成
図２は、本発明の実施例に係る記録再生装置を示すブロック図である。この記録再生装置１は、据え置き型の家庭用オーディオ装置である。この記録再生装置１は、光ディスク２、メモリ３からオーディオデータを再生してスピーカ１９からユーザーに提供し、またチューナ部４で受信したオーディオデータをスピーカ１９からユーザーに提供する。また光ディスク２から再生したオーディオデータをメモリ３に記録する。
【００１４】
ここでメモリ３は、例えばＵＳＢメモリであり、この記録再生装置１に着脱可能に保持され、メモリ用符号化データが記録される。ここでメモリ用符号化データは、メモリ３への記録用にオーディオデータをデータ圧縮したデータである。書込み読出し部５は、コントローラ６の制御により、このメモリ用符号化データをメモリ３から読み出して出力し、また順次入力されるメモリ用の符号化データをメモリ３に記録する。
【００１５】
コントローラ６は、マイコンであり、上位のコントローラの制御により、書込み読出し部５の動作を制御する。この実施例において、コントローラ６は、書込み読出し部５と一体に集積回路化されて、書込み読出し部５と共にメモリ用集積回路７を構成する。
【００１６】
スピンドルモータ８は、サーボ回路９の制御により光ディスク２を回転駆動する。光ピックアップ（ＯＰ）１０は、サーボ回路９によりトラッキング制御、フォーカス制御等され、光ディスク２にレーザービームを照射して戻り光を受光する。光ピックアップ１０は、この戻り光の受光結果を処理することにより戻り光の光量に応じて信号レベルが変化する再生信号、トラッキングエラー信号、フォーカスエラー信号等を生成して再生部１１、サーボ回路９に出力する。
【００１７】
サーボ回路９は、スピンドルモータ８の動作を制御し、また光ピックアップ１０の出力信号を処理してトラッキング制御、フォーカス制御等の処理を実行する。再生部１１は、光ピックアップ１０から得られる再生信号を信号処理し、光ディスクに記録されたデータを再生して出力する。
【００１８】
復調部１２は、再生部１１で再生されたデータを入力し、所定ブロック単位で、光ディスク用符号化データを復調した後、誤り訂正処理して出力する。なおここで光ディスク用符号化データは、光ディスク２への記録用に、オーディオデータをデータ圧縮したデータである。
【００１９】
エンコーダ／デコーダ１３は、光ディスク２からオーディオデータを再生してユーザーに提供する場合、復調部１２から出力される光ディスク用符号化データをデータ伸張してオーディオデータを生成し、このオーディオデータをディジタルアナログ変換部（Ｄ／Ａ）１４に出力する。またこの光ディスク２から再生したオーディオデータをメモリ３に記録する場合、データ伸張したオーディオデータを所定フォーマットでデータ圧縮してメモリ用符号化データを生成し、このメモリ用符号化データをメモリ用集積回路７に出力する。またメモリ３からオーディオデータを再生する場合、メモリ用集積回路７から出力されるメモリ用符号化データをデータ伸張してオーディオデータを生成し、このオーディオデータをディジタルアナログ変換部１４に出力する。
【００２０】
これらの処理において、エンコーダ／デコーダ１３は、コントローラ１５の制御により、所定ブロック単位で、データ圧縮伸張処理を実行し、またデータ圧縮伸張処理に係るフォーマットを切り換える。なおここでこの実施例では、このデータ圧縮伸張処理に係るフォーマットに例えばＭＰ３（ＭＰＥＧ  ａｕｄｉｏ  ｌｙｅｒ３）、ＡＡＣ（Ａｄｖａｎｃｅｄ  Ａｕｄｉｏ  Ｃｏｄｉｎｇ）等のフォーマットが適用される。
【００２１】
この実施例において、エンコーダ／デコーダ１３は、ディジタルシグナルプロセッサ１６により構成され、このディジタルシグナルプロセッサ１６により実行するプログラムの切り換えにより、データ圧縮伸張処理のフォーマットを切り換える。なおエンコーダ／デコーダ１３は、モニタすることなく、かつフォーマットを変更することなく、光ディスク２から再生されるオーディオデータをメモリ３に記録する場合、データ伸張、データ圧縮を省略する。従ってこの場合、復調部１２から出力される光ディスク用符号化データを何ら処理することなく、メモリ用符号化データとしてメモリ用集積回路７に出力する。
【００２２】
これによりこの実施例では、メモリ３から再生したオーディオデータのデータ伸張処理、メモリ３に記録するオーディオデータのデータ圧縮処理を、光ディスク２から再生したオーディオデータをデータ伸張処理するディジタルシグナルプロセッサ１６により実行する。
【００２３】
ディジタルアナログ変換部１４は、エンコーダ／デコーダ１３から出力されるモニタ用のオーディオデータをアナログ信号に変換して信号処理部２２に出力する。
【００２４】
コントローラ１５は、マイクロコンピュータであり、上位のコントローラの制御により、サーボ回路９、再生部１１、復調部１２、エンコーダ／デコーダ１３、ディジタルアナログ変換部１４の動作を制御する。この実施例において、コントローラ１５は、サーボ回路９、再生部１１、復調部１２、エンコーダ／デコーダ１３、ディジタルアナログ変換部１４と一体に集積回路化されて、これらサーボ回路９等と共に光ディスク用集積回路１７を構成する。
【００２５】
チューナ部４は、メインコントローラ１８の制御により動作を切り換え、ユーザーの指示した放送波を受信して信号処理部２２にオーディオ信号を出力する。信号処理部２２は、メインコントローラ１８の制御により動作を切り換え、光ディスク用集積回路１７、チューナ部４から出力されるオーディオ信号の音量、音質を可変してスピーカ１９を駆動する。なおこの実施例では、これら信号処理部２２、チューナ部４は、それぞれ集積回路により構成される。
【００２６】
入力部２０は、各種操作子、リモートコマンダ等により構成され、ユーザーによる操作をメインコントローラ１８に通知する。表示部２１は、例えば液晶表示パネルにより形成され、メインコントローラ１８の制御により、光ディスク２、メモリ３に記録されたオーディオデータ、再生中のオーディオデータのタイトル名等を表示する。
【００２７】
バススイッチ（バスＳＷ）２３は、メインコントローラ１８の制御により動作を切り換える双方向バススイッチであり、メインコントローラ１８、メモリ用集積回路７のコントローラ６、光ディスク用集積回路１７のコントローラ１５を接続するコントロールバスのうちの、所定ビットを接続する。これに対してバススイッチ（バスＳＷ）２４は、メインコントローラ１８の制御により動作を切り換える片方向スイッチであり、バススイッチ２３に割り当てて残るコントロールバスの残りビットに割り当てられる。これによりこの実施例では、メインコントローラ１８、メモリ用集積回路７、光ディスク用集積回路１７の間で送受する各種コンマドのうちの所定のコマンドについては、双方向のバススイッチ２３のみを使用して送受することができるように構成され、また双方向のバススイッチ２３のみを用いて送受困難なコマンドについては、双方向のバススイッチ２３と片方向のバススイッチ２４を用いて送受できるように構成される。
【００２８】
この実施例では、この双方向のバススイッチ２３に割り当てられる所定ビットが、光ディスク２に記録されたオーディオデータを再生してメモリ３に記録する際に、メモリ用集積回路７のコントローラ６、光ディスク用集積回路１７のコントローラ１５間で頻繁に送受する、メモリ用符号化データの生成処理、転送処理に関するコマンドの送受に必要なビットに割り当てられる。これによりこの実施例では、光ディスク２に記録されたオーディオデータを再生してメモリ３に記録する際に、光ディスク用集積回路１７及びメモリ用集積回路７間で頻繁に送受するコマンドについては、メインコントローラ１８を介さずに直接光ディスク用集積回路１７及びメモリ用集積回路７間で実行してメインコントローラ１８の負担を軽減する。
【００２９】
メインコントローラ１８は、この記録再生装置１全体の動作を制御するマイクロコンピュータであり、図示しないメモリに記録されたプログラムの実行により、ユーザーによる入力部２０の操作に応動して各部の動作を制御する。この制御において、メインコントローラ１８は、ユーザーの操作に応動して各部の動作を制御し、この制御に伴ってバススイッチ２３、２４等の設定を切り換える。
【００３０】
図１は、メモリ用集積回路７、光ディスク用集積回路１７の制御に係るメインコントローラ１８の処理手順を示すフローチャートである。メインコントローラ１８は、電源が立ち上げられると、この処理手順を開始してステップＳＰ１からステップＳＰ２に移る。ここでメインコントローラ１８は、コントローラ１５等の動作の立ち上げ等の一連の初期設定の処理を実行する。メインコントローラ１８は、この初期設定の処理において、制御モードをＣＤファンクションモードに設定する。なおここでＣＤファンクションモードは、メインコントローラ１８の制御対象を光ディスク用集積回路１７に設定して各種コマンドを送出する制御モードであり、光ディスク２の再生のみを実行し、又はチューナ部４による受信のみを実行する場合の制御モードである。従ってこの場合、メインコントローラ１８は、光ディスク用集積回路１７のコントローラ１５との間のデータ通信により各種コマンドをコントローラ１５との間で送受する。
【００３１】
続いてメインコントローラ１８は、ステップＳＰ３に移り、ユーザーにより入力部２０が操作されたか否か判断する。ここで否定結果が得られると、メインコントローラ１８は、ステップＳＰ３の処理を繰り返し、これによりユーザーによる操作を待機する。またユーザーにより入力部２０が操作されると、ステップＳＰ３からステップＳＰ４に移る。
【００３２】
このステップＳＰ４においてメインコントローラ１８は、ユーザーによる操作がメモリファンクションを指示する操作か否か判断する。ここでメモリファンクションは、制御対象をメモリ用集積回路７、光ディスク用集積回路１７に設定する制御モードであり、メモリ３に記録したオーディオデータを再生する場合の制御モードである。この場合、メモリ用集積回路７は、メインコントローラ１８により、直接、光ディスク用集積回路１７のコントローラ１５を制御するように設定される。従って具体的に、メモリファンクションを指示する操作は、例えばメモリ３の再生を指示する操作子の操作である。
【００３３】
ここで否定結果が得られると、メインコントローラ１８は、ステップＳＰ５に移り、ユーザーによる操作がＣＤファンクションを指示する操作か否か判断する。なおここでこのＣＤファンクションを指示する操作は、例えば光ディスク２の再生を指示する操作、メモリ３へのオーディオデータの記録を指示する操作等である。ここで否定結果が得られると、メインコントローラ１８は、ステップＳＰ５からステップＳＰ６に移り、ユーザーの入力部２０の操作に応動して各部の動作を制御する。
【００３４】
これによりこの場合、メインコントローラ１８は、例えばスピーカ１９から現在出力しているオーディオデータの音量、音質をユーザーの操作に応動して可変し、また再生の処理、記録処理の一時停止、一時停止の解除等を実行し、ステップＳＰ３に戻る。
【００３５】
これに対してステップＳＰ４で肯定結果が得られると、メインコントローラ１８は、ステップＳＰ４からステップＳＰ７に移り、制御モードをメモリファンクションモードに設定し、コントローラ６とコントローラ１５との間でコマンドを送受できるようにバススイッチ２３、２４を設定した後、ステップＳＰ６に移り、ユーザーの操作に応動した各部の制御を実行し、ステップＳＰ３に戻る。これによりこの場合、コントローラ６は、ユーザーの操作に応動いて光ディスク用集積回路１７のコントローラ１５に各種コマンドを発行して光ディスク用集積回路１７の動作を制御し、メモリ３に記録されたオーディオデータを再生してユーザーに提供する。
【００３６】
これに対してステップＳＰ５で肯定結果が得られると、メインコントローラ１８は、ステップＳＰ５からステップＳＰ８に移り、制御モードをＣＤファンクションモードに設定した後、ステップＳＰ６に移り、ユーザーの操作に応動した各部の制御を実行し、ステップＳＰ３に戻る。これによりメインコントローラ１８は、光ディスク用集積回路１７のコントローラ１５を制御することができるように、光ディスク用集積回路１７のコントローラ１５とメインコントローラ１８との間でデータ通信可能にバススイッチ２３、２４を設定し、例えば光ディスクからオーディオを再生してメモリ３に記録する場合には、光ディスクを再生する際の処理に加えてディジタルシグナルプロセッサ１６からデータ圧縮処理等の各種オーディオデータの処理に係るコマンドをメモリ用集積回路７に送出する。
【００３７】
（２）実施例の動作
以上の構成において、この記録再生装置１では、ユーザーによる入力部２０の操作により、光ディスク２にレーザービームを照射して得られる再生信号を再生部１１、復調部１２で順次処理した後、ディジタルシグナルプロセッサ１６によるエンコーダ／デコーダ１３によりデータ伸張してオーディオデータが復号される。この記録再生装置１では、このオーディオデータがディジタルアナログ変換部１４によりアナログ信号のオーディオ信号に変換された後、信号処理部２２により音量、音質が調整され、スピーカ１９から出力される。またこれらの処理において、例えば光ディスク２に記録されたファイル名の拡張子により、データ圧縮処理のフォーマットが検出され、この検出したフォーマットに対応するプログラムにディジタルシグナルプロセッサ１６が処理プログラムを切り換え、これにより種々のフォーマットによりデータ圧縮処理された符号化データを光ディスク２から再生してデータ伸張する。この記録再生装置１では、これら再生部１１からディジタルアナログ変換部１４までの構成が、これら各部の動作を制御するコントローラ１５と共に一体に集積回路化され、これにより全体として構成が簡略化される。
【００３８】
またこの記録再生装置１では、メモリ３が装着され、ユーザーがこのメモリ３に記録したオーディオデータの再生を指示すると、書込み読出し部５によりメモリ３に記録された符号化データが再生され、この再生した符号化データをデータ伸張して信号処理部２２によりスピーカ１９を駆動する。また光ディスク２に記録したオーディオデータのメモリ３への記録がユーザーにより指示されると、光ディスク２から再生してデータ伸張したオーディオデータが、メモリ３への記録の為にデータ圧縮処理され、書込み読出し部５によりメモリ３に記録される。
【００３９】
この記録再生装置１では、このメモリ３から読み出したオーディオデータのデータ伸張処理、メモリ３に記録するオーディオデータのデータ圧縮処理が、光ディスク２から再生したオーディオデータをデータ伸張するディジタルシグナルプロセッサ１６でプログラムを切り換えて実行される。これによりこの記録再生装置１では、メモリ３に関する書込み読出し部５、この書込み読出し部を制御するコントローラ６を一体に集積回路７により構成するようにして、この集積回路７において、オーディオデータのデータ圧縮、データ伸張に要する構成を省略することができ、全体構成を簡略化することができる。
【００４０】
これによりこの記録再生装置１では、メモリ３に記録するオーディオデータのデータ圧縮処理、転送処理等に関して、光ディスク用集積回路１７のコントローラ１５とメモリ用集積回路７のコントローラ６との間で各種コマンドの送受量が、メモリ用集積回路７側にディジタルシグナルプロセッサを設けてオーディオデータを処理する場合に比して、格段的に増大することになる。
【００４１】
そこでこの実施例では、双方向のバススイッチ２３により集積回路７、１７、メインコントローラ１８を接続するようにして、メモリ３に記録するオーディオデータのデータ圧縮処理、転送処理等に関して、頻繁に光ディスク用集積回路１７、メモリ用集積回路７間で送受するコマンドについては、直接、集積回路７、１７間で送受できるようにし、これによりメインコントローラ１８の負担を軽減してリアルタイムでオーディオデータを送受できるようにする。
【００４２】
双方向のバススイッチ２３にコントロールバスの一部ビットを割り当て、残りのビットを片方向のバススイッチ２４に割り当てることにより、コントロールバスの全てのビットを双方向のバススイッチに割り当てる場合に比して、全体構成を簡略化することができる。
【００４３】
（３）実施例の効果
以上の構成によれば、各記録媒体用集積回路である光ディスク用集積回路、メモリ用集積回路を用いて各記録媒体からオーディオデータを再生する場合に、一方の集積回路に設けられたディジタルシグナルプロセッサを用いて、他方の記録媒体から再生したオーディオデータをデータ伸張することにより、各記録媒体用の集積回路を用いた記録再生装置において、一段と構成を簡略化することができる。
【００４４】
またさらにコントロールバスの一部ビットを双方向のバススイッチに割り当てることにより、簡易な構成でメインコントローラの負担を軽減することができる。
【実施例２】
【００４５】
なお上述の実施例においては、光ディスク用集積回路側にディジタルシグナルプロセッサを設けてメモリ用集積回路の処理に利用する場合について述べたが、本発明はこれに限らず、これとは逆にメモリ用集積回路側にディジタルシグナルプロセッサを設けて光ディスク用集積回路の処理に利用するようにしてもよい。
【００４６】
また上述の実施例においては、光ディスクからはオーディオデータを再生するだけの場合について述べたが、本発明はこれに限らず、さらにメモリから再生したオーディオデータを光ディスクに記録するようにしてもよく、この場合にも、光ディスク用集積回路を用いてメモリから再生したオーディオデータのデータ伸張処理、データ圧縮処理を実行することができる。
【００４７】
また上述の実施例においては、光ディスク、メモリからオーディオデータを再生する場合について述べたが、本発明はこれに限らず、例えば光ディスク又はメモリに代えて磁気ディスクを適用した記録再生装置等、種々の記録媒体からオーディオデータを再生する記録再生装置に広く適用することができる。
【産業上の利用可能性】
【００４８】
本発明は、例えば光ディスク、メモリにオーディオデータを記録再生する記録再生装置に適用することができる。
【図面の簡単な説明】
【００４９】
【図１】本発明の実施例の記録再生装置におけるメインコントローラの処理手順を示すフローチャートである。
【図２】本発明の実施例の記録再生装置を示すブロック図である。
【符号の説明】
【００５０】
１……記録再生装置、２……光ディスク２……メモリ、６、１５……コントローラ、７……メモリ用集積回路、１３……エンコーダ／デコーダ、１６……ディジタルシグナルプロセッサ、１８……メインコントローラ
【図１】
2008257764.tif 000003
【図２】
2008257764.tif 000004